(57)【要約】【課題】  ファインダ装置の高さを抑えて、撮影画像とファインダ像とのズレを小さくする。【解決手段】  対物レンズ２１の近傍には、視度及び視差の調節機構であるガイド棒７１、視度調節ネジ２３、視差調節ネジ２５が設けられている。視度調節ネジ２３に回転させると、対物レンズ２１がガイド棒７１、視差調節ネジ２５に従いファインダ光軸と平行に移動して視度調節を行うことができる。視差調節ネジ２５を回転させると、対物レンズ２１がガイド棒７１を中心にファインダ光軸と垂直な面で回転移動して視差調節を行うことができる。ガイド棒７１、視度調節ネジ２３、視差調節ネジ２５は対物レンズ２１の縦幅内で左右に振り分けて配置され、ファインダの高さが抑えられている。【選択図】        図４
2005189328.tif 000002
【特許請求の範囲】
【請求項１】
撮影光軸とは別のファインダ光軸上にファインダ像の結像面を有し、この結像面の前方に被写体側から順に対物レンズと変倍レンズとが設けられ、撮影レンズの変倍に連動して前記変倍レンズをファインダ光軸方向に移動させファインダ像を変倍するカメラ用ファインダ装置において、
前記変倍レンズの左右にそれぞれ設けられた係合部と係合して変倍レンズの移動をガイドする一対のレンズガイドが、変倍レンズの縦幅内にファインダ光軸と平行に設けられるとともに、
ファインダ光軸に関して前記対物レンズを位置決めする調節機構が対物レンズの縦幅内の少なくとも左右いずれかに設けられていることを特徴とするカメラ用ファインダ装置。
【請求項２】
前記対物レンズの左右の一方に第１係合部、他方に第２係合部が形成され、
前記調節機構に、対物レンズ及び変倍レンズを収容するファインダ筺体に取り付けられて、前記第１係合部と係合する第１ガイド部材と前記第２係合部と係合する第２ガイド部材とが設けられ、
前記調節機構は、対物レンズを前記第１及び第２のガイド手段に従ってファインダ光軸に関して移動させて、配置位置を調節することを特徴とする請求項１記載のカメラ用ファインダ装置。
【請求項３】
前記第１及び第２ガイド手段は、ファインダ光軸方向に延びるように形成され、対物レンズをファインダ光軸方向に移動自在に支持するとともに、
前記調節機構に、対物レンズを前方に付勢するバネと、前記ファインダ筺体に対物レンズの前面側から螺合され、回動動作によりファインダ光軸方向に進退して前記バネの付勢に抗して対物レンズのファインダ光軸方向での位置決めを行う調節ネジを設けて、
前記調節機構は、ファインダ光軸方向における対物レンズの配置位置を調節して、視度調節を行うことを特徴とする請求項２記載のカメラ用ファインダ装置。
【請求項４】
前記第１係合部はファインダ光軸方向に延びる丸穴で、前記第１ガイド部材は前記丸穴に挿通され、ファインダ光軸と垂直な面内で対物レンズを回転自在に支持するガイド棒であり、
前記第２係合部はファインダ光軸方向に延びる溝、もしくは丸穴で、前記第２ガイド部材は前記第２係合部に挿通され、前記ファインダ筺体にファインダ光軸と平行な軸を中心に回転自在に取り付けられ、対物レンズの前面側から回動操作したときに前記第２係合部との当接により対物レンズを前記ガイド棒の回りに回動させて、ファインダ光軸と垂直な面内で対物レンズの位置決めを行う偏芯ピンであり、
前記調節機構は、ファインダ光軸と垂直な面内で対物レンズの配置位置を調節して、視差調節を行うことを特徴とする請求項２又は３記載のカメラ用ファインダ装置。
【請求項５】
対物レンズを前面側から観察した際に、前記一対のレンズガイドが略矩形状をした対物レンズの一方の対角のそれぞれの近傍に設けられ、前記第１ガイド手段と前記第２ガイド手段が対物レンズの他方の対角のそれぞれの近傍に設けられていることを特徴とする請求項２から４いずれか記載のカメラ用ファインダ装置。
【発明の詳細な説明】
【技術分野】
【０００１】
本発明は、撮影光軸とファインダ光軸とが別軸に設けられたカメラに用いられる実像式のファインダ装置に関し、さらに詳しくは、撮影レンズの変倍動作に連動してその左右に設けられたガイド手段によりガイドされ光軸方向に移動する変倍レンズと、対物側の最前面に固定される対物レンズとがファインダ像の結像面の前方に配置されたカメラ用ファインダ装置に関する。
【背景技術】
【０００２】
被写体像をファインダ光学系内の結像面に一端結像させて、結像した画像を接眼レンズにて拡大して観察するようにした実像式のファインダ装置が知られている。ファインダ画像を見やすいものとするために、結像面手前に配置されるレンズは、その焦点面を結像面に合わせるように配置位置が決定される。しかし、装置ごとのばらつきなどにより前記レンズの焦点面と結像面とが合わなくなってしまう場合がある。このため、前記レンズをファインダ光軸方向に移動させ、視度調節を行えるように視度調節機構を備えたカメラがある。
【０００３】
また、前記レンズは、その中心がファインダ光軸に一致している必要があるが、この場合においても装置ごとのばらつきなどによって前記レンズの中心がファインダ光軸に一致しなくなってしまう場合がある。このため、前記レンズをファインダ光軸と垂直な面で移動させ、視差調節を行えるように視差調節機構を備えたカメラがある。
【０００４】
さらに、下記特許文献１には、１枚の調節用レンズにて視度調節、及び、視差調節の両方を行えるファインダ装置の調節機構が記載されている。このファインダ装置の調節機構は、ファインダ光軸と平行なガイド棒が調節用レンズの下方に設けられており、このガイド棒に沿って調節用レンズがファインダ光軸と平行に移動することによって視度調節を行い、このガイド棒を中心に調節用レンズがファインダ光軸と垂直な面で回転移動することによって視差調節を行いを行うようにしている。
【０００５】
【特許文献１】特開平１１−１３３４８５号公報
【発明の開示】
【発明が解決しようとする課題】
【０００６】
しかしながら、上記特許文献１記載の調節機構では、調節用レンズの下方にガイド棒が配置されているので、ファインダ装置が上下方向に大きくなってしまう。ファインダ装置は、撮影光学系の上方に配置されることが多いが、ファインダ装置が上下方向に大きくなってしまうと、撮影光学系から離れた位置にファインダ装置を配置せざるをえなくなり、ファインダ光軸と撮影光軸との間隔が離れてしまう。
【０００７】
ファインダ光軸と撮影光軸とが別軸に設けられたカメラでは、ファインダ装置から観察されるファインダ像と、実際に撮影される撮影画像との間にはズレが生じ、ファインダ光軸と撮影光軸との間隔が離れるほど、このズレは大きくなる。このため、ファインダ装置が上下方向に大きくなってしまうと、ファインダ像と撮影画像との間に発生する画像のズレが大きくなってしまい、撮影者が意図した画像が撮影できないといった問題があった。
【０００８】
本発明は、上記背景を鑑みてなされたものであり、高さを抑えて、撮影画像とファインダ像との間に発生する画像のズレを小さくすることのできるカメラ用ファインダ装置を提供することを目的とする。
【課題を解決するための手段】
【０００９】
前記目的を達成するために、本発明のカメラ用ファインダ装置は、変倍レンズの左右にそれぞれ設けられた係合部と係合して変倍レンズの移動をガイドする一対のレンズガイドが、変倍レンズの縦幅内にファインダ光軸と平行に設けられるとともに、ファインダ光軸に関して前記対物レンズを位置決めする調節機構が対物レンズの縦幅内の少なくとも左右いずれかに設けられていることを特徴としている。
【００１０】
前記対物レンズの左右の一方に第１係合部、他方に第２係合部が形成され、前記調節機構に、対物レンズ及び変倍レンズを収容するファインダ筺体に取り付けられて、前記第１係合部と係合する第１ガイド部材と前記第２係合部と係合する第２ガイド部材とが設けられ、前記調節機構は、対物レンズを前記第１及び第２のガイド手段に従ってファインダ光軸に関して移動させて、配置位置を調節するものでもよい。
【００１１】
前記第１及び第２ガイド手段は、ファインダ光軸方向に延びるように形成され、対物レンズをファインダ光軸方向に移動自在に支持するとともに、前記調節機構に、対物レンズを前方に付勢するバネと、前記ファインダ筺体に対物レンズの前面側から螺合され、回動動作によりファインダ光軸方向に進退して前記バネの付勢に抗して対物レンズのファインダ光軸方向での位置決めを行う調節ネジを設けて、前記調節機構は、ファインダ光軸方向における対物レンズの配置位置を調節して、視度調節を行うものでもよい。
【００１２】
前記第１係合部はファインダ光軸方向に延びる丸穴で、前記第１ガイド部材は前記丸穴に挿通され、ファインダ光軸と垂直な面内で対物レンズを回転自在に支持するガイド棒であり、前記第２係合部はファインダ光軸方向に延びる溝、もしくは丸穴で、前記第２ガイド部材は前記第２係合部に挿通され、前記ファインダ筺体にファインダ光軸と平行な軸を中心に回転自在に取り付けられ、対物レンズの前面側から回動操作したときに前記第２係合部との当接により対物レンズを前記ガイド棒の回りに回動させて、ファインダ光軸と垂直な面内で対物レンズの位置決めを行う偏芯ピンであり、前記調節機構は、ファインダ光軸と垂直な面内で対物レンズの配置位置を調節して、視差調節を行うものでもよい。
【００１３】
対物レンズを前面側から観察した際に、前記一対のレンズガイドが略矩形状をした対物レンズの一方の対角のそれぞれの近傍に設けられ、前記第１ガイド手段と前記第２ガイド手段が対物レンズの他方の対角のそれぞれの近傍に設けられているようにしてもよい。
【発明の効果】
【００１４】
本発明のカメラ用ファインダ装置によれば、変倍レンズの左右にそれぞれ設けられた係合部と係合して変倍レンズの移動をガイドする一対のレンズガイドが、変倍レンズの縦幅内にファインダ光軸と平行に設けられるとともに、ファインダ光軸に関して前記対物レンズを位置決めする調節機構が対物レンズの縦幅内の少なくとも左右いずれかに設けられているので、装置の高さを抑えることができ、撮影光軸とファインダ光軸との間隔を小さくして、撮影画像とファインダ像との間に発生する画像のズレを小さくすることができる。
【発明を実施するための最良の形態】
【００１５】
以下、本発明の実施形態として、カメラ用ファインダを搭載したズームカメラを例に説明を行う。図１は、本発明のカメラ用ファインダを搭載したズームカメラを示す外観斜視図であり、（Ａ）は前面側から観察した図であり、（Ｂ）は背面側から観察した図である。
【００１６】
ズームカメラ２は、撮影レンズ３の焦点位置を段階的に変化させるステップ式のズーム機構を備えており、ズームカメラ２の中央部には、ズーム機構を成す鏡筒４が設けられている。そして、鏡筒４のほぼ真上には、後述するファインダ５が設けられ、カメラ２の前面からはファインダ５の対物レンズ２１を保護する対物窓２０が露呈している。また、カメラ２の前面には、ストロボ装置を構成するストロボ発光部６と、オートフォーカス用の受光部７などが露呈している。
【００１７】
カメラ２の上面には、シャッタ装置を動作させるレリーズボタン８が設けられている。カメラ２の側面には、裏蓋開閉つまみ７が設けられ、これを操作して裏蓋を開閉することで、写真フイルムを収納した写真フイルムカートリッジの挿脱が行えるようになっている。また、カメラ２の側面には、電池を挿脱するための蓋１０が設けられ、カメラ２の背面側に軸着されている。
【００１８】
カメラ２の背面には、写真フイルムの撮影枚数や撮影モードなどを表示する液晶表示部９と、ズーム倍率を段階的に変化させるズームレバー１１が設けられている。また、カメラ２の背面からは、ファインダ５の視度調節つまみ２７、及び、接眼レンズ２９を保護する接眼窓３１が露呈している。
【００１９】
図２に示すように、ファインダ５は、ファインダ光軸上に被写体側から順に対物レンズ２１、第１変倍レンズ３３、第２変倍レンズ３５、第１プリズム３７、第２プリズム３９、接眼レンズ２９が設けられた実像式ファインダである。ファインダ５は、装置本体４１に、これら各構成部材が配置されて支持されている。なお、対物レンズ２１の前方に配置される対物窓２０の図示は省略してある。
【００２０】
ファインダ５の結像面を成す第１プリズム３７の出射面には、視野枠部４３が形成されており、この視野枠部４３に結像した被写体像は、第２プリズム３９、接眼レンズ２９及び接眼窓３１を介して観測される。接眼レンズ２９は、視度調節つまみ２７を回転させることによってファインダ光軸方向に前後して、ファインダ像の視度を調整することができる。
【００２１】
図３に示すように、第１変倍レンズ３３、第２変倍レンズ３５の近傍には、一対の棒状のレンズガイド５１、５３が設けられている。レンズガイド５１，５３は、ファインダ５の高さを低く抑えるように各レンズの縦幅内で左右に振り分けて設けられている。対物側から観察したときに、レンズガイド５１は、矩形状の各レンズの左側で高さ方向の中央よりやや下方に、レンズガイド５３は、各レンズの右側で高さ方向の中央よりやや上方に設けられている。レンズガイド５１，５３は、ファインダ光軸と平行に設けられており、このレンズガイド５１，５３に従って、第１変倍レンズ３３、第２変倍レンズ３５がファインダ光軸上を前後することによりファインダ倍率が変更される。
【００２２】
第１変倍レンズ３３には、レンズガイド５１に対応する位置に円筒形状のガイド筒３３ａが、レンズガイド５３に対応する位置にガイド溝３３ｂがそれぞれ形成されている。ガイド筒３３ａには、レンズガイド５１が貫通し、このレンズガイド５１によって第１変倍レンズ３３は、ファインダ光軸方向に移動自在に支持される。また、第１変倍レンズ３３が、ファインダ光軸と垂直な面で回転しないように、ガイド溝３３ｂにはレンズガイド５３が通されている。レンズガイド５１、５３は、第１変倍レンズ３３の長手方向である左右に振り分けて設けられているので、第１変倍レンズ３３は回転することなく確実に支持される。
【００２３】
同様にして、第２変倍レンズ３５には、レンズガイド５１が通されるガイド筒３５ａと、レンズガイド５３が通されるガイド溝３５ｂが形成されている。そして、第２変倍レンズ３５は、レンズガイド５１、５３によってファインダ光軸と平行に移動自在に支持されるとともに、ファインダ光軸と垂直な面での回転が規制されている。
【００２４】
第１変倍レンズ３３、第２変倍レンズ３５の下方には、２つのカム穴５５、５６形成されたカム板５７が設けられている。また、第１レンズ３３にはカムピン３３ｃが、第２レンズ３５にはカムピン３５ｃがそれぞれ下方に突出するように形成されている。そして、カムピン３３ｃはカム穴５５に嵌め込まれ、カムピン３５ｃはカム穴５６に嵌め込まれる。
【００２５】
カム板５７には、ギア列５８が形成され、ギア５９と歯合している。また、ギア５９は、鏡筒４の外周に設けられたギア列４ａとも歯合している。鏡筒４にはカメラ２によって制御されるモータ６０が接続され、鏡筒４は、ズームレバー１１の操作に応じて回転し、撮影レンズ３を移動させてズーム動作を行う。鏡筒４がズーム動作を行って回転すると、この回転に伴ってカム板５７が左右に移動する。そして、この移動によって、第１変倍レンズ３３、第２変倍レンズ３５は、カム穴５５、５６に従いファインダ光軸と平行に移動してファインダ倍率が変更される。これにより、ファインダズーム調節が行われる。このとき、鏡筒４のズーム倍率に応じてファインダ像の倍率が変化するように、ギア列５８、４ａ及びギア５９の間のギア比が決定される。
【００２６】
対物レンズ２１は、第１変倍レンズ３３に対面して配置され、対物レンズ２１の近傍には、視度及び視差の調節機構を構成するガイド棒７１、視度調節ネジ２３、視差調節ネジ２５が設けられている。ガイド棒７１及び視差調節ネジ２５は、ファインダ５の高さを低く抑えるように対物レンズ２１の縦幅内で左右に振り分けて設けられており、ガイド棒７１はレンズガイド５１の上方に、視差調節ネジ２５はレンズガイド５３の下方にそれぞれ設けられている。また、視度調節ネジ２３は、ガイド棒７１とレンズガイド５１との間に設けられている。
【００２７】
図４に示すように、対物レンズ２１には、ガイド棒７１に対応する位置に円筒形状のガイド筒２１ａが形成されており、このガイド筒２１ａにはガイド棒７１が貫通している。ガイド棒７１は、ファインダ光軸と平行に設けられており、接眼側が装置本体４１に固定されている。このガイド棒７１によって対物レンズ２１は、ファインダ光軸方向に移動自在に支持される。また、対物レンズ２１の接眼側には、ガイド棒７１の外周を覆うようにバネ７３が配置され、このバネ７３によって対物レンズ２１は、被写体側に付勢されている。
【００２８】
対物レンズ２１には、ガイド棒７１を中心とする円弧状の溝２１ｂが形成されており、この溝２１ｂには被写体側から視度調節ネジ２３が通されている。視度調節ネジ２３には、溝２１ｂの幅よりも径が小さい軸２３ａと、溝２１ｂの幅よりも径が大きいネジ頭２３ｂとが形成されている。視度調節ネジ２３は、軸２３ａが溝２１ｂを通り、軸２３ａの先端に形成されたネジ部が装置本体４１に設けられた図示しないネジ穴と螺合することによって装置本体４１に回動自在に固定される。また、このときネジ頭２３ｂにより対物レンズ２１は、被写体方向への移動が規制される。対物レンズ２１は、視度調節ネジ２３を締め込んでゆくことで接眼側に移動して、視度調節ネジ２３を緩めてゆくことで被写体側に移動する。この移動によって視度の調節が行われる。
【００２９】
また、対物レンズ２１には、視差調節ネジ２５に対応する位置に調整溝２１ｃが形成され、この調整溝２１ｃにはファインダ光軸と平行に設けられた視差調節ネジ２５が通されている。視差調節ネジは、軸２３ａとネジ頭２３ｂとからなり、軸２３ａに形成されたネジ部が装置本体４１に設けられた図示しないネジ穴と螺合することによって装置本体４１に回動自在に固定される。
【００３０】
このとき、ネジ頭２５ｂが調節溝２１ｃと当接する。これにより、視差調節ネジ２５は、対物レンズ２１の回転を規制して、前記視度調節時に対物レンズ２１が回転しないようになっている。また、視度調節に伴って対物レンズ２１がファインダ光軸方向に移動しても、対物レンズ２１の回転を規制するように、ネジ頭２５ｂは、ファインダ光軸方向に十分延長して設けられている。
【００３１】
また、ネジ頭２５ｂは、軸２５ａに対して偏芯して設けられている。このため図５に示すように、視差調節ネジ２５を回動操作することによって、ネジ頭２５ｂは、調節溝２１ｃと摺接しながら変位する。これにより、対物レンズ２１は、ファインダ光軸と垂直な面でガイド棒７１を中心に回転移動する。この回転移動によって視差の調節が行われる。
【００３２】
このように、視差の調節の際は対物レンズ２１が回転移動するが、溝２１ｂを円弧状に設けてあるので、視度調節ネジ２３が対物レンズ２１の回転移動を妨げてしまうといったことがない。また、視差調節時以外に視差調節ネジ２５が回転してしまうと対物レンズ２１が回転してしまい視差が狂ってしまうので、視度調節ネジ２５は、装置本体４１との螺合部分の摩擦力が調節され、専用の工具などによって十分な力を加えたときのみ回動するようになっている。
【００３３】
以下、本発明の作用について説明をする。ファインダ５は、鏡筒４のズーム倍率に応じてファインダ像の倍率が変化するように、ファインダズーム調節を行う。ファインダズーム調節は、鏡筒４のズーム動作に連動して、第１変倍レンズ３３、第２変倍レンズ３５が一対のレンズガイド５１、５３に従って、ファインダ光軸方向に移動することによって行われる。
【００３４】
このような、ファインダ５は、ファインダ画像を見やすいものとするために、結像面である視野枠部４３の手前に配置される第１変倍レンズ３３、第２変倍レンズ３５、及び、対物レンズ２１は、それらの焦点面を視野枠部４３に合わせるように配置位置が決定されて設計される。しかし、ファインダ５は、製品ごとにばらつきが生じるので、対物レンズ２１をファインダ光軸方向に移動させて、視野枠部４３の手前に配置されるレンズの焦点面を視野枠部４３に合わせるように視度調節が行われる。
【００３５】
また、対物レンズ２１の中心は、ファインダ光軸に一致している必要があるが、この場合においても製品ごとにばらつきが生じるので、対物レンズ２１をファインダ光軸と垂直な面で移動させて、対物レンズ２１の中心をファインダ光軸に一致させるように視差調節が行われる。
【００３６】
対物レンズ２１の近傍には、視度及び視差の調節機構を構成するガイド棒７１、視度調節ネジ２３、視差調節ネジ２５が設けられている。視度調節ネジ２３を回転させることによって、対物レンズ２１はファインダ光軸方向に移動するので、視度の調節を行うことができる。また、視差調節ネジ２３を回転させることによって、対物レンズ２１はファインダ光軸を垂直な面で回転移動をするので、視差の調節を行うことができる。視度及び視差の調節が行われた対物レンズ２１はその状態で固定される。
【００３７】
ファインダ５は、第１変倍レンズ３３、第２変倍レンズ３５、の移動をガイドする一対のレンズガイド５１、５３をこれら各レンズの縦幅内で左右に振り分けて配置してある。また、ファインダ５は、対物レンズ２１を固定位置を決定するために、視度及び視差の調節を行う調節機構を対物レンズ２１の縦幅内で左右に振り分けて配置してある。このため、レンズの上下方向にレンズガイドや調節機構を配置する場合と比較してファインダの高さを抑えることができる。
【００３８】
ファインダの高さが高くなってしまうと、ファインダの配置位置が鏡筒と離れてしまって、撮影画像とファインダ像との間に生じる画像のズレが大きくなってしまうが、ファインダ５は高さが抑えられているので、鏡筒４に近い位置に配置することができる。このため、撮影画像とファインダ像との間に生じる画像のズレを小さくすることができ、ファインダ像に近い画像を撮影することができる。これにより、撮影画像は、撮影者が意図した画像に近いものとなる。
【００３９】
なお、上記実施形態において、第１変倍レンズ，第２変倍レンズは、一対の棒状のレンズガイドに従って移動する例で説明をしたが、各レンズの水平方向に突起を設けるとともに、ファインダ装置本体にこの突起に対応した一対の溝状のレンズガイドを形成して、各レンズが溝状のレンズガイドに従って移動するようにしてもよい。また、上記実施形態において、ファインダ装置は、視度及び視差の両方の調節を行えるようにした例で説明をしたが、このうちの片方のみを調節可能にしてもよい。
【図面の簡単な説明】
【００４０】
【図１】カメラの外観図である。
【図２】ファインダの外観図である。
【図３】ファインダの装置本体内部の様子を表す説明図である。
【図４】対物レンズと、対物レンズの調節機構を表す説明図である。
【図５】対物レンズの回転移動の様子を表す説明図である。
【符号の説明】
【００４１】
２    カメラ
３    撮影レンズ
４    鏡筒
５    ファインダ
２１    対物レンズ
２３    視度調節ネジ
２５    視差調節ネジ
３３    第１変倍レンズ
３５    第２変倍レンズ
４３    視野枠部
５１、５３    レンズガイド
７１    ガイド棒
【図１】
2005189328.tif 000003
【図２】
2005189328.tif 000004
【図３】
2005189328.tif 000005
【図４】
2005189328.tif 000006
【図５】
2005189328.tif 000007